(57)【特許請求の範囲】
【請求項１】
第１のコンテンツデータを第１のズームレベルで表示する表示手段と、
利用者のズーム要求が供給される受信手段と、
上記受信手段に供給されたズーム要求に応じて上記表示手段の表示を制御する制御手段とを備え、
上記制御手段は、上記第１のコンテンツデータを上記第１のズームレベルで表示している間に、上記受信手段にズーム要求が供給されると、上記第１のコンテンツデータの一部分に、該第１のコンテンツデータとともに広告情報を第２のズームレベルで表示し、上記第１のコンテンツデータ及び上記広告情報を上記第２のズームレベルで表示している間に、上記受信手段にズーム要求が供給されると、上記第１のコンテンツデータを含まずに上記広告情報のみを第３のズームレベルで表示するように上記表示手段を制御する、
ズーム可能なコンテンツの中に広告情報を表示する情報提供装置。
【請求項２】
上記制御手段は、上記第１のコンテンツデータの一部分を、上記第２のズームレベルで表示する際には、上記第１のズームレベルで表示したときよりも拡大して表示することを特徴とする請求項１記載の情報提供装置。
【請求項３】
上記制御手段は、上記受信手段にズーム要求が供給されると、上記第１のコンテンツデータの一部分をズームインしながら、上記広告情報をフェードインして表示するように上記表示手段を制御することを特徴とする請求項１記載の情報提供装置。
【請求項４】
上記制御手段は、上記広告情報をフェードインする際に、上記第１のコンテンツデータをフェードアウトして表示するように上記表示手段を制御することを特徴とする請求項３記載の情報提供装置。
【請求項５】
上記制御手段は、上記広告情報を完全にフェードインするとともに、上記第１のコンテンツデータを完全にフェードアウトして表示するように上記表示手段を制御することを特徴とする請求項４記載の情報提供装置。
【請求項６】
上記制御手段は、上記広告情報を上記第３のズームレベルで表示している間に、上記受信手段にズーム要求が供給されると、上記広告情報の一部分とともに第２のコンテンツデータの一部分を第４のズームレベルで表示し、上記広告情報の一部分及びコンテンツデータの一部分を上記第４のズームレベルで表示している間に、上記受信手段にズーム要求が供給されると、上記広告情報を含まずに上記第２のコンテンツデータのみを第５のズームレベルで表示するように上記表示手段を制御することを特徴とする請求項１記載の情報提供装置。
【請求項７】
上記制御手段は、上記第４のズームレベルで表示した上記第２のコンテンツデータの一部分を、上記第５のズームレベルで拡大して表示するように上記表示手段を制御することを特徴とする請求項６記載の情報提供装置。
【請求項８】
上記制御手段は、上記受信手段にズーム要求が供給されると、上記広告情報の一部分をズームインして表示しながら、上記第２のコンテンツデータをフェードインして表示するように上記表示手段を制御することを特徴とする請求項６記載の情報提供装置。
【請求項９】
上記制御手段は、上記第２のコンテンツデータをズームインする際に、上記広告情報をフェードアウトして表示するように上記表示装置を制御することを特徴とする請求項８記載の情報提供装置。
【請求項１０】
上記制御手段は、上記第２のコンテンツデータを完全にズームインすると、上記広告情報を完全にフェードアウトして表示するように上記表示手段を制御することを特徴とする請求項９記載の情報提供装置。
【請求項１１】
第１のコンテンツデータを第１のズームレベルで表示する第１の表示ステップと、
利用者の第１のズーム要求が供給される第１の受信ステップと、
上記第１のズーム要求に応じて、上記第１のコンテンツデータの一部分とともに広告情報の一部分を第２のズームレベルで表示する第２の表示ステップと、
利用者からの第２のズーム要求が供給される第２の受信ステップと、
上記第２のズーム要求に応じて、上記第１のコンテンツデータを含まずに上記広告情報のみを第３のズームレベルで表示する第３の表示ステップとを有する、
ズーム可能なコンテンツの中に広告情報を表示する情報提供方法。
【請求項１２】
上記第２のズームレベルで表示される上記第１のコンテンツデータの一部分の大きさは、上記第１のズームレベルで表示されたときよりも拡大されていることを特徴とする請求項１１記載の情報提供方法。
【請求項１３】
上記第２の表示ステップは、上記第１のコンテンツデータの一部分をズームインする際に、上記広告情報をフェードインすることを特徴とする請求項１１記載の情報提供方法。
【請求項１４】
上記第３の表示ステップは、上記広告情報をフェードインする際に、上記第１のコンテンツデータをフェードアウトすることを特徴とする請求項１３記載の情報提供方法。
【請求項１５】
上記第３の表示ステップは、上記広告情報を完全にフェードインするとともに、上記コンテンツデータを完全にフェードアウトすることを特徴とする請求項１４記載の情報提供方法。
【請求項１６】
さらに、利用者の第３のズーム要求が供給される第３の受信ステップと、
上記第３のズーム要求に応じて、上記広告情報の一部分とともに第２のコンテンツデータの一部分を第４のズームレベルで表示する第４の表示ステップと、
利用者の第４のズーム要求が供給される第４の受信ステップと、
上記第４のズーム要求に応じて、上記広告情報を含まずに上記第２のコンテンツデータのみを第５のズームレベルで表示する第５の表示ステップとを有する請求項１１記載の情報提供方法。
【請求項１７】
上記第４のズームレベルで表示された上記第２のコンテンツデータの一部分は、上記第５のズームレベルで拡大されて表示されることを特徴とする請求項１６記載の情報提供方法。
【請求項１８】
上記第４の表示ステップは、上記広告情報の一部分をズームインする際に、上記第２のコンテンツデータをフェードインすることを特徴とする請求項１６記載の情報提供方法。
【請求項１９】
上記第５の表示ステップは、上記第２のコンテンツデータをズームインする際に、上記広告をフェードアウトすることを特徴とする請求項１８記載の情報提供方法。
【請求項２０】
上記第５の表示ステップは、上記第２のコンテンツデータを完全にズームインすると、上記広告情報を完全にフェードアウトすることを特徴とする請求項１９記載の情報提供方法。
【請求項２１】
コンテンツデータのパンレベルで定まる一部分を表示する表示手段と、
利用者のパン要求が供給される受信手段と、
上記受信手段からのパン要求に基づく方向に、上記コンテンツデータをパンして表示し、所定のパンレベルにおいて上記コンテンツデータとともに広告情報を表示するように上記表示手段を制御する制御手段であって、上記広告情報を第１のパンレベルでフェードインし、上記広告情報を第２のパンレベルでフェードアウトするように上記表示手段を制御する制御手段とを備える、
パン可能なコンテンツの中に広告情報を表示する情報提供装置。
【請求項２２】
コンテンツデータのパンレベルで定まる一部分を表示装置に表示する第１のステップと、
利用者のパン要求が供給される第２のステップと、
上記コンテンツデータを上記パン要求に基づく方向にパンする第３のステップと、
所定のパンレベルにおいて上記コンテンツデータとともに広告情報を上記表示装置に表示するステップであって、上記広告情報を第１のパンレベルでフェードインし、上記広告情報を第２のパンレベルでフェードアウトして表示する第４のステップとを有する、
パン可能なコンテンツの中に広告情報を表示する情報提供方法。
【発明の詳細な説明】
【０００１】
【発明の属する技術分野】
本発明は、情報提供装置及び情報提供方法に関し、特にズーム可能なコンテンツの中に広告情報を表示し、例えばコンピュータ画面上に表示されたズーム可能なコンテンツデータの中に広告情報を表示する情報提供装置及び情報提供方法に関する。
【０００２】
【従来技術】
周知のように、いわゆるインターネットにおける「プッシュ（push）」技術は、「ワールドワイドウェブ（world-wide-web）」のページ枠組みを払拭した。「ウェブ(web)」のコンテンツ（content）は、いわゆるウェブページのフォーマットで提供されてきたが、直ぐにティッカーテープ（ticker tape）、ジャバアプレット（Java applet）、他のウェブページにリンクするフローティングタイトル（floating title）、ショックウェーブアニメーション（Shockwave animation）のような多様なフォーマットで表示されるであろう。また、「ウェブページ」に加えて、ウェブのデータを任意の形で表示するいわゆる「ウェブイネーブル（Web enabled）」の環境が整いつつある。
【０００３】
「ウェブイネーブル」の環境において、現在、広告は、いわゆる「バナー（banner）」、「ボタン（button）」を表示したり、ウェブページの特定の領域に小さな四角いバナーを表示することによって行われている。あるいは、ウェブのコンテンツが表示された画面上の隅に広告を表示することによって、宣伝を行うようになっている。
【０００４】
上述したような形態での広告における問題点は、一般的に極めて少ない情報しか利用者に伝えることができないことである。大きなサイズの広告を表示することでこの問題を解決できるが、その代償として、コンテンツデータを表示するための領域が狭くなってしまう。
【０００５】
【発明が解決しようとする課題】
本発明は、上述した実情に鑑みてなされたものであり、本発明の目的は、ズーム可能なコンテンツを用いて、広告を表示する情報提供装置及び情報提供方法方法を提供することである。また、本発明の目的は、コンテンツデータが表示される領域の大きさに制限されずに、広告を表示する情報提供装置及び情報提供方法を提供することである。
【０００６】
本発明は、通常の技能を持つ者にとっては、他のたくさんの利点及び特色有することが明白であり、追加された請求項により新規な特徴を個別に指摘する。
【０００７】
【課題を解決するための手段】
本発明では、第１のコンテンツデータを第１のズームレベルで表示し、利用者の第１のズーム要求が供給されると、第１のズーム要求に応じて、第１のコンテンツデータの一部分とともに広告情報の一部分を第２のズームレベルで表示し、利用者からの第２のズーム要求が供給されると、第２のズーム要求に応じて、第１のコンテンツデータを含まずに広告情報のみを第３のズームレベルで表示する。
【０００８】
また、第２のズームレベルで表示される第１のコンテンツデータの一部分の大きさは、第１のズームレベルで表示されたときよりも拡大される。
【０００９】
第２の表示ステップは、第１のコンテンツデータの一部分をズームインする際に、広告情報をフェードインする。
【００１０】
さらに、第３の表示ステップは、広告情報をフェードインする際に、第１のコンテンツデータをフェードアウトする。
【００１１】
第３の表示ステップは、広告情報を完全にフェードインするとともに、コンテンツデータを完全にフェードアウトする。
【００１２】
また、本発明では、利用者の第３のズーム要求が供給され、第３のズーム要求に応じて、広告情報の一部分とともに第２のコンテンツデータの一部分を第４のズームレベルで表示し、利用者の第４のズーム要求が供給されると、第４のズーム要求に応じて、広告情報を含まずに第２のコンテンツデータのみを第５のズームレベルで表示する。
【００１３】
また、第４のズームレベルで表示された第２のコンテンツデータの一部分は、第５のズームレベルで拡大されて表示される。
【００１４】
第４の表示ステップは、広告情報の一部分をズームインする際に、第２のコンテンツデータをフェードインする。
【００１５】
さらに、第５の表示ステップは、第２のコンテンツデータをズームインする際に、広告をフェードアウトする。
【００１６】
第５の表示ステップは、第２のコンテンツデータを完全にズームインすると、広告情報を完全にフェードアウトする。
【００１７】
さらに、本発明では、コンテンツデータのパンレベルで定まる一部分を表示装置に表示し、利用者のパン要求が供給されると、コンテンツデータをパン要求に基づく方向にパンし、所定のパンレベルにおいてコンテンツデータとともに広告情報を表示装置に表示する。
【００１８】
また、第４のステップは、広告情報を第１のパンレベルでフェードインし、広告情報を第２のパンレベルでフェードアウトして表示する。
【００１９】
【発明の実施の形態】
以下、本発明に係わる情報提供装置及び情報提供方法について、図面を参照しながら詳細に説明する。図１は、本発明を適用したコンピュータの具体的な構成を示すブロック図である。この図１に示すように、コンピュータ１０は、コンテンツデータ及び広告情報の表示等の制御を行うＣＰＵ１１と、コンテンツデータ等を一時的に記憶するメモリ１２と、ＣＰＵ１１が実行するプログラム等が記憶されているハードディスク装置と、ＣＰＵ１１の制御の下で、コンテンツデータ、広告情報等に基づいた画像を表示する表示装置１６と、利用者が、ズーム操作等を行うための入力装置１８と、インターネットに接続された通信ポート１９とを備える。
【００２０】
入力装置１８は、例えばキーボードやマウス等からなり、利用者が、例えばズーム要求等の操作を行う。ＣＰＵ１１は、利用者からのズーム要求等に応じた信号（以下、操作信号という。）を入力インターフェイス１７を介して受信する。ＣＰＵ１１は、この操作信号に基づいて、例えばＲＡＭやＲＯＭからなるメモリ１２、ハードディスク装置１４に記憶されているプログラムを実行し、後述するように、コンテンツデータ、広告情報等に基づいた画像（以下、単にコンテンツデータ、広告情報という。）を、表示インターフェイス１５を介して表示装置１６に表示する制御を行う。
【００２１】
具体的には、コンテンツデータは、例えばインターネットにおけるワールドワイドウェブブラウザによって閲覧され、通信ポート１９を介して供給されるウェブページのデータからなり、種々の度合い、すなわち種々のズームレベル（zoom level）で表示装置１６に表示されるようになている。そして、ＣＰＵ１１は、このズーム可能なコンテンツデータを表示装置１６に表示する際に、メモリ１２に記憶されているズームレベルを参照し、そのズームレベルでコンテンツデータを表示する。例えば図２に示すように、ズーム可能なコンテンツデータは、ツリー構造を有し、ズームレベル＃０は、例えば図３に示すように表示装置１６の画面全体にウェブページからなる表示画像Ｄ１が表示された、すなわち完全にズームアウトされた状態に相当し、さらなるズームアウトは不可能なレベルである。
【００２２】
そして、例えば利用者が入力装置１８を用いて、図３に示す表示画像Ｄ１の領域Ｐ１をズームインする操作を行うと、ＣＰＵ１１は、例えば図４に示すように、表示画像Ｄ１の領域Ｐ１をズームインした表示画像Ｄ１１を表示する制御を行う。この表示画像Ｄ１１は、上述した図２に示すズームレベル＃０とズームレベル＃１との中間のズームレベル＃０．３のようなレベルで表示された画像である。なお、後述するように、ズームレベル＃１においては、表示画像Ｄ１とは異なるコンテンツが表示装置１６に表示される。
【００２３】
ところで、この本発明を適用したコンピュータ１０において、ＣＰＵ１１は、ズームレベル＃０で表示されたコンテンツデータをズームインして、別のコンテンツデータをズームレベル＃１で表示する途中において、広告情報を表示するようになっている。具体的には、利用者がズームインの操作を行うと、ＣＰＵ１１は、図３に示す表示画像Ｄ１の領域Ｐ１をズームイン、すなわち徐々に拡大しながら、図４に示すように、表示画像Ｄ１１を表示し、さらに、表示画像Ｄ１１の領域Ｐ２をズームインするとともに、図５に示すように、表示画像Ｄ１２の領域Ｐ３の広告情報を徐々に拡大しながらフェードインし、広告情報が表示画面全体に表示されると、図６に示すように、コンテンツデータを完全にフェードアウトして、広告情報のみを画面全体に表示する（以下、この広告情報のみの画像をＡ１とする）。すなわち、ＣＰＵ１１は、図２で示すように、表示画像Ｄ１をズームレベル＃０で表示しているときに、利用者がズームインの操作を行うと、表示画像Ｄ１を、表示画像Ｄ１１，Ｄ１２と順次変化させながら表示し、表示画像Ａ１を表示する。このとき、表示画像Ｄ１２は、図５に示すように、コンテンツデータが部分的にズームアウトされ、ズームレベル＃０とズームレベル＃０．５との中間のズームレベル、例えばズームレベル＃０．４で表示された画像と、広告情報が部分的にズームインされた画像とが重なった画像である。表示画像Ａ１は、図６に示すように、コンテンツデータを含まない広告情報のみの画像であり、例えばズームレベル＃０．５で完全に表示される。
【００２４】
利用者が、広告情報のみが表示された表示画像Ａ１上でさらなるズーム操作を行うと、ＣＰＵ１１は、表示画像Ａ１の一部分、例えば領域Ｐ４をズームインして、図７に示すような表示画像Ａ１１を表示する。この表示画像Ａ１１は、広告情報がフェードアウトし始め、次のズームレベルであるズームレベル＃１のコンテンツデータ、例えば図８に示すような表示画像Ｄ２がフェードインし始めた途中の画像である。そして、ＣＰＵ１１は、表示画像Ａ１１の領域Ｐ５をさらにズームインし、図８に示すように、新たなコンテンツデータからなる表示画像Ｄ２を画面全体に表示する。この表示画像Ｄ２は、広告情報が完全にフェードアウトされ、新たなコンテンツデータがズームレベル＃１で完全に表示された画像である。換言すると、図７に示す表示画像Ａ１１は、ズームレベル＃０．５とズームレベル＃１との中間のズームレベル、例えばズームレベル＃０．７５の画像である。なお、図８に示すズームレベル＃１で表示された表示画像Ｄ２のコンテンツデータは、図３に示すズームレベル＃０で表示された表示画像Ｄ１のコンテンツデータとは異なる新たなものである。
【００２５】
ところで、図２で示すように、ズームレベル＃０で表示された表示画像Ｄ１上で、利用者がどの部分をズームインするかによって、互いに異なる表示画像Ｄ２，Ｄ３，Ｄ４等が次のズームレベルであるズームレベル＃１で表示されるようにしてもよい。このとき、表示画像Ｄ１から表示画像Ｄ２，Ｄ３，Ｄ４等の画像にズームインする途中で、上述した具体例と同様に、それぞれ広告情報Ａ１，Ａ２，Ａ３等の異なる広告情報が表示されるようにする。
【００２６】
ここで、上述したコンピュータ１０の具体的な動作を、図９に示すフローチャートを用いて説明する。
【００２７】
ステップＳ１において、ＣＰＵ１１は、コンテンツデータ＃１を、図３に示すように、ズームレベル＃０（「スケール」＃０）に相当するフルサイズ、すなわち画面いっぱいのサイズの表示画像Ｄ１として、表示装置１６の画面に表示する。
【００２８】
ステップＳ２において、利用者が入力装置１８を用いてズームインの操作を行うと、ＣＰＵ１１は、入力インターフェイス１７を介してズームイン要求を受け取り、表示画像Ｄ１の例えば領域Ｐ１を拡大して、図４に示す表示画像Ｄ１１を表示する。
【００２９】
ステップＳ３において、ＣＰＵ１１は、表示画像Ｄ１１の領域Ｐ２を表示画面いっぱいまでズームインしながらフェードアウトするとともに、広告情報をその最小サイズでフェードインしながら、徐々に拡大して表示する。すなわち、各コンテンツデータに対しては、最大のズームレベルが予め決められており、そのズームレベルに近づくと、フェードアウトが開始される。また、各広告情報に対しては、フェードインが開始される最小のズームレベルが予め決められており、フェードインと拡大が同時に行われる。
【００３０】
ステップＳ４において、ＣＰＵ１１は、コンテンツデータ＃１の一部を完全に画面いっぱいまでズームインすると同時に完全にフェードアウトし、ステップＳ３においてフェードインを開始した広告情報を完全に表示する。すなわち、各コンテンツデータに対しては、完全にフェードアウトするフェードアウトズームレベルが予め決められており、各広告情報に対しては、完全にフェードインするフェードインズームレベルが予め決められている。
【００３１】
ステップＳ５において、利用者が、さらにズームインの操作を行うと、ＣＰＵ１１は、広告情報をズームインして表示する。
【００３２】
ステップＳ６において、ＣＰＵ１１は、広告情報を予め決められた最大サイズまでズームインして表示すると、フェードアウトする。同時に、ＣＰＵ１１は、次のレベルのコンテンツデータ＃２を、図７に示すように、その最小サイズでフェードインして表示する。このように、各広告情報に対しては、フェードアウトが開始される最大のズームレベルが予め決められており、各広告情報は、最大のズームレベルまでズームされるとフェードアウトされる。また、各コンテンツデータに対しては、フェードインが開始される最小のズームレベルが予め決められており、各コンテンツデータは、最小のズームレベルの大きさでフェードインされるとともに、徐々に拡大されながら表示される。
【００３３】
ステップＳ７において、ＣＰＵ１１は、広告情報を完全にフェードアウトするとともに、コンテンツデータ＃２を完全にフェードインする。すなわち、各広告情報に対しては、完全にフェードアウトするフェードアウトレベルが予め決められており、各コンテンツデータには、完全にフェードインするフェードインレベルが予め決められている。
【００３４】
ここで、上述のズームインにおいて表示される複数のコンテンツデータを総称してズーム可能なコンテンツデータとする。そして、これらのズーム可能なコンテンツデータがズームアウトされながら表示され、そのズームアウトの途中において、上述のズームインのときと同様に、広告情報が随時表示されるようにしてもよい。なお、ＣＰＵ１１におけるコンテンツデータのズームアウト処理は、上述したズームイン処理と逆の処理であるので、その説明は省略する。
【００３５】
上述したコンテンツデータのズーム表示方法によって、利用者は、あるコンテンツデータから他のコンテンツデータに表示を切り替える際に、画面いっぱいに表示された広告情報を見ることができる。換言すると、このコンピュータ１０では、広告情報の画像が、コンテンツデータの画像によって妨げられることなく表示され、利用者に、従来の装置に比してより多くの情報を伝えることができる。
【００３６】
なお、上述の具体例では、ズーム可能なコンテンツデータをインターネットから転送されてくるウェブページとしているが、本発明はそれに限定されるものではなく、例えばＣＤ−ＲＯＭ１３、ハードディスク装置１４、又はＤＶＤ装置（図示せず）等の記録媒体に記録されているデータであってもよい。
【００３７】
また、上述の具体例では、コンテンツデータをズームイン又はズームアウトする際に、広告情報を表示するようにしているが、例えば、同じコンテンツデータをズームイン又はズームアウトする際にも、広告情報をフェードインした後、フェードアウトするようにしてもよい。具体的には、ある１つのコンテンツデータがズームレベル＃０で表示されているときに、広告情報が、ズームレベル＃０．１でフェードインされ、ズームレベル＃０．２で完全に表示され、ズームレベル＃０．３でフェードアウトされるようにする。すなわち、利用者がコンテンツデータ上でズームインの操作を行うと、広告情報は、このコンテンツデータのズームレベルが一定とされた状態において、広告情報がフェードインし、そして、利用者がズームイン操作を行っている間に、フェードアウトする。このように、広告情報は、コンテンツデータのズームレベルに関係なく、様々なズームレベルで表示される。
【００３８】
さらに、例えばコンテンツデータがズームレベル＃０で表示されている画像上に、最小限の情報からなる広告情報を比較的小さなサイズで表示しておき、利用者がズーム操作を行うと、この広告情報に関する詳細な情報を表示するようにしてもよい。具体的には、利用者が、比較的小さなサイズで表示された広告情報にズームインする操作を行うと、その広告情報に関してより詳細な広告情報を大きく表示する。すなわち、利用者が、例えば「トップレベル」の小さく表示された広告情報に対してズーム操作を行うと、その広告情報を特定のズームレベルにズームインするにつれてフェードアウトし、詳細な広告情報をフェードインして表示する。したがって、トップレベルにおいては、最小の広告情報のみを表示しておき、「シマンティック（semantic）」なズーム操作によりその広告情報に関するより詳細な情報を表示することにより、コンテンツデータを表示する実質的な領域を、大きくすることができる。
【００３９】
ここで、本発明を適用したコンピュータ１０の他の具体例な動作について説明する。
【００４０】
この具体例においては、表示画像のいわゆる「パン（panning）」領域に広告情報を表示するようにしている。利用者が入力装置１８を用いてパン操作の要求を行うと、ＣＰＵ１１は、表示装置１６に表示された画像をパンして表示する。このように、表示画像をパンして表示することにより、表示画像がズームされているか否かに依らず、利用者が表示画像の異なる部分を見ることができるようにする。そして、ＣＰＵ１１は、利用者によってパンレベルが変更されると、広告情報をフェードインして表示し、又はフェードアウトする。ＣＰＵ１１は、コンテンツデータの特定の一部分を表示しているときに、特定のパンレベルにおいて広告情報のフェードインを開始し、広告情報を表示する。すなわち、ＣＰＵ１１は、例えば利用者がコンテンツデータを右にある一定の移動量だけパンすると、広告情報をフェードインして完全に表示し、さらにコンテンツデータを右にパンすると、広告情報をフェードアウトする。また、コンテンツデータを上下左右方向又は斜め方向にパンする途中で、同様に広告情報をフェードインして表示し、又はフェードアウトするようにしてもよい。
【００４１】
なお、本発明に係る情報提供装置及び情報提供方法は、広告情報の表示に限定されるものではなく、例えば娯楽情報等の情報の表示にも、本発明を適用することができることは言うまでもない。また、上述の具体例では、本発明を適用したコンピュータについて説明したが、本発明は、例えばいわゆるインターネットテレビ等にも適用することができる。
【００４２】
【発明の効果】
本発明では、第１のコンテンツデータを第１のズームレベルで表示し、利用者の第１のズーム要求が供給されると、第１のコンテンツデータの一部分とともに広告情報の一部分を第２のズームレベルで表示する。そして、利用者からの第２のズーム要求が供給されると、第１のコンテンツデータを含まずに広告情報のみを第３のズームレベルで表示する。これによって、コンテンツデータの表示領域を狭くすることなく、従来に比してより多くの情報を含む広告を表示することができる。
【図面の簡単な説明】
【図１】  本発明を適用したコンピュータの具体的な構成を示すブロック図である。
【図２】  コンテンツデータのツリー構造の具体例を示す図である。
【図３】  ズームレベル＃０で表示されたコンテンツデータの表示例を示す図である。
【図４】  図３の領域Ｐ１をズームインする途中の表示例を示す図である。
【図５】  図３の領域Ｐ１をズームインする途中に広告情報がフェードインする途中の表示例を示す図である。
【図６】  ズームレベル＃０．５で表示された広告情報の具体例を示す図である。
【図７】  図６の領域Ｐ４をズームインする途中の表示例を示す図である。
【図８】  ズームレベル＃１で表示されたコンテンツデータの表示例を示す図である。
【図９】  コンピュータの動作を説明するためのフローチャートである。
【符号の説明】
１０  コンピュータ、１１  ＣＰＵ、１２  メモリ、１３  ＣＤ−ＲＯＭ、１４  ハードディスク装置、１６  表示装置、１８  入力装置、１９  通信ポート
【図１】
0004355377.tif 000002
【図２】
0004355377.tif 000003
【図３】
0004355377.tif 000004
【図４】
0004355377.tif 000005
【図５】
0004355377.tif 000006
【図６】
0004355377.tif 000007
【図７】
0004355377.tif 000008
【図８】
0004355377.tif 000009
【図９】
0004355377.tif 000010